(57)【特許請求の範囲】
【請求項１】
蓋本体と外蓋とを具備し、
該蓋本体は実質上水平に延在する閉鎖壁、該閉鎖壁の上面から上方に延出する筒状突出壁、該閉鎖壁の下面から垂下する筒状内側垂下壁、該閉鎖壁の下面から垂下する筒状外側垂下壁、該突出壁及び該内側垂下壁よりも半径方向内側において該閉鎖壁に形成され、離脱領域を規定する破断可能ライン、及び該離脱領域において該閉鎖壁の上面に付設された引張部片を含み、該突出壁の外周面には雄螺条が形成されており、
該外蓋は天面壁、及び該天面壁から垂下するスカート壁を含み、該スカート壁には雌螺条が形成されており、該蓋本体に該外蓋を被嵌して該雌螺条を該雄螺条に螺合せしめることによって該外蓋が該蓋本体に装着される複合容器蓋において、
該蓋本体の該閉鎖壁の下面には、該内側垂下壁よりも半径方向内側で且つ該離脱領域よりも半径方向外側に位置する環状凹部が形成されており、該環状凹部内には周方向に間隔をおいて複数個の係止突起が配設されており、該係止突起の各々は該雄螺条に該雌螺条を螺合する際の該蓋本体の相対的回転方向に見て前側に緩やかな前面を有し後側に切り立った後面を有し、該係止突起の各々の突出高さは該凹部の深さと同一であり、該係止突起の下端は該閉鎖壁の下面と面一である、ことを特徴とする複合容器蓋。
【請求項２】
該係止突起の該緩やかな前面は後方に向かって下方に６０度以下である傾斜角α１で傾斜し、該切り立った後面は前方に向かって下方に７０度以上の傾斜角α２で傾斜する、請求項１記載の複合容器蓋。
【発明の詳細な説明】
【技術分野】
【０００１】
本発明は、蓋本体と外蓋とを具備する複合容器蓋、更に詳しくは容器の口頸部に適用するのに先立って蓋本体に形成されている雄螺条に外蓋に形成されている雌螺条を螺合せしめて蓋本体に外蓋を装着する形態の複合容器蓋に関する。
【背景技術】
【０００２】
液体調味料等のための容器に適用される容器蓋として、下記特許文献１乃至３には、蓋本体と外蓋とを具備する複合容器蓋が提案されている。蓋本体は実質上水平に延在する閉鎖壁、閉鎖壁の上面から上方に延出する筒状突出壁、閉鎖壁の下面から垂下する筒状内側垂下壁、閉鎖壁の下面から垂下する筒状外側垂下壁、突出壁及び内側垂下壁よりも半径方向内側において閉鎖壁に形成され、離脱領域を規定する破断可能ライン、及び離脱領域において閉鎖壁の上面に付設された引張部片を含む。突出壁の外周面には雄螺条が形成されている。外蓋は天面壁、及び天面壁から垂下するスカート壁を含み、スカート壁には雌螺条が形成されている。
【０００３】
上記のとおりの複合容器蓋においては、複合容器蓋を容器の口頸部に適用するのに先立って、蓋本体に外蓋を装着することが必要である。蓋本体への外蓋の装着は、蓋本体に外蓋を被嵌し、蓋本体に対して外蓋を所要方向に回転せしめて蓋本体に形成されている雄螺条に外蓋に形成されている雌螺条を螺合せしめる。この際には、外蓋にその少なくとも大部分、通常はその全体が覆われる蓋本体を外蓋の回転に付随して回転しないように保持することが必要である。そこで、下記特許文献１乃至３に開示されている複合容器蓋においては、閉鎖壁の下面に垂下壁を付設してその内周面に周方向に間隔をおいて複数個の突条を形成し、或いは周方向に間隔をおいて閉鎖壁の下面から下方に垂下する複数個の突出片を形成すると共に、かかる突条或いは突出片を受け入れる凹部乃至切欠を有する装着冶具を準備し、蓋本体に外蓋を装着する際には装着冶具の凹部乃至切欠に蓋本体の突条或いは突出片を係合せしめて装着冶具に蓋本体を回転不能に保持している。
【特許文献１】特開平１１−２５５２５１号公報
【特許文献２】特開２０００−８５８１８号公報
【特許文献３】特開２００３−１７０９５１号公報
【発明の開示】
【発明が解決しようとする課題】
【０００４】
而して、上述したとおりの従来の複合容器蓋には、（１）装着冶具に蓋本体を回転不能に保持するためには、装着冶具に形成されている凹部乃至切欠に蓋本体に形成されている突条或いは突出片を角度的に位置合わせして装着冶具に蓋本体を装着冶具に被嵌することが必要であるが、突条或いは突出片は蓋本体の内側垂下壁に囲繞されている部位に形成されていることもあって、上記位置合わせは必ずしも容易ではない、（２）蓋本体に突条を有する垂下壁或いは突出片を付加的に形成することが必要であり、従って蓋本体を作成するための材料量が増大し、製作コストが増大する、という問題が存在する。
【０００５】
従って、本発明の主たる技術的課題は、特に角度的位置合わせを必要とすることなく、充分容易に装着冶具に蓋本体を回転不能に保持することができ、そしてまた必要材料量を増大せしめることなく、従って製作コストを増大せしめることなく製作することができる、新規且つ改良された複合容器蓋を提供することである。
【０００６】
本発明の他の技術的課題は、本発明に従って構成された複合容器蓋を回転不能に保持するのに好適に使用することができる新規且つ改良された装着冶具を提供することである。
【課題を解決するための手段】
【０００７】
本発明によれば、蓋本体の閉鎖壁の下面に内側垂下壁よりも半径方向内側に位置する環状凹部を形成し、かかる環状凹部に緩やかな前面と切り立った後面を有する複数個の係止突起を周方向に間隔をおいて形成することによって、上記主たる技術的課題が達成される。
【０００８】
更に、本発明によれば、装着冶具における円柱状支持台の先端面に、切り立った前面と緩やかな後面とを有する被係止突起が周方向に間隔をおいて複数個形成することによって、上記他の技術的課題が達成される。
【０００９】
即ち、本発明によれば、上記主たる技術的課題を達成する複合容器蓋として、蓋本体と外蓋とを具備し、
該蓋本体は実質上水平に延在する閉鎖壁、該閉鎖壁の上面から上方に延出する筒状突出壁、該閉鎖壁の下面から垂下する筒状内側垂下壁、該閉鎖壁の下面から垂下する筒状外側垂下壁、該突出壁及び該内側垂下壁よりも半径方向内側において該閉鎖壁に形成され、離脱領域を規定する破断可能ライン、及び該離脱領域において該閉鎖壁の上面に付設された引張部片を含み、該突出壁の外周面には雄螺条が形成されており、
該外蓋は天面壁、及び該天面壁から垂下するスカート壁を含み、該スカート壁には雌螺条が形成されており、該蓋本体に該外蓋を被嵌して該雌螺条を該雄螺条に螺合せしめることによって該外蓋が該蓋本体に装着される複合容器蓋において、
該蓋本体の該閉鎖壁の下面には、該内側垂下壁よりも半径方向内側で且つ該離脱領域よりも半径方向外側に位置する環状凹部が形成されており、該環状凹部内には周方向に間隔をおいて複数個の係止突起が配設されており、該係止突起の各々は該雄螺条に該雌螺条を螺合する際の該蓋本体の相対的回転方向に見て前側に緩やかな前面を有し後側に切り立った後面を有し、該係止突起の各々の突出高さは該凹部の深さと同一であり、該係止突起の下端は該閉鎖壁の下面と面一である、ことを特徴とする複合容器蓋が提供される。
【００１０】
該係止突起の該緩やかな前面は後方に向かって下方に６０度以下である傾斜角α１で傾斜し、該切り立った後面は前方に向かって下方に７０度以上の傾斜角α２で傾斜するのが好適である。好ましくは、該環状凹部は該離脱領域よりも半径方向外側に位置する。
【００１１】
更に、本発明によれば、上記他の目的を達成する装着冶具として、上記容器蓋における該蓋本体に該外蓋を装着する際に使用するための装着冶具にして、該蓋本体の該閉鎖壁と該内側垂下壁とによって規定される円柱状空間に組み合わされる円柱状支持台を有し、該支持台の先端面には周方向に間隔をおいて、該係止突起が係止せしめられる複数個の被係止突起が形成されており、該被係止突起の各々は該雄螺条に該雌螺条を螺合する際の該蓋本体の相対的回転方向に見て前側に切り立った前面を有し後側に緩やかな後面を有する、ことを特徴とする装着冶具が提供される。
【００１２】
該被係止突起の該切り立った前面は後方に向かって下方に７０度以上である傾斜角β１で傾斜し、該緩やかな後面は前方に向かって下方に６０度以下の傾斜角β２で傾斜するのが好適である。
【発明の効果】
【００１３】
本発明の複合容器蓋における蓋本体を装着冶具に保持する際には、特に角度的に位置合わせする必要なくして、単に装着冶具の支持台に蓋本体を被嵌すればよい。蓋本体の係止突起が支持台の被係止突起に角度的に整合しておらず、従って係止突起の切り立った後面が被係止突起の切り立った前面に係止せしめられていない場合には、支持台に対して蓋本体が幾分か回動せしめられ、この際には係止突起の緩やかな前面が被係止突起の緩やかな後面を通過するが、蓋本体が幾分か回動せしめられると、係止突起の切り立った後面が被係止突起の切り立った前面に係止せしめられ、これによって蓋本体の回転が阻止され、かくして装着冶具に蓋本体が回転不能に保持される。また、本発明の複合容器蓋における蓋本体においては、閉鎖壁に環状凹部を形成し、かかる環状凹部内に複数個の係止突起を形成している故に、蓋本体を形成するための必要材料量が低減されることはあっても、増大されることはない。
【発明を実施するための最良の形態】
【００１４】
以下、本発明の好適実施形態について、添付図面を参照して更に詳細に説明する。
【００１５】
図１を参照して説明をすると、全体を番号２で示す複合容器蓋は、蓋本体４と外蓋６とを具備しており、それ自体公知の合成樹脂、例えばポリエチレン、アイソタクティクポリプロピレン、エチレンーポリプロピレン共重合体、ポリブテン−１、エチレン−ブテン−１共重合体、プロピレン−ブテン−１重合体、エチレン−酢酸ビニル共重合体等のオレフィン系樹脂やポリスチレン、スチレン−ブタジエン共重合体、ABS樹脂或いはポリカーボネート等から別々に成形されている。
【００１６】
蓋本体４は実質上水平に延在する閉鎖壁８、閉鎖壁８の上面から上方に延在する筒状突出壁１０、閉鎖壁８の下面から垂下する筒状内側垂下壁１２、閉鎖壁８の下面から垂下する筒状外側垂下壁１４、突出壁１０及び内側垂下壁１２よりも半径方向内側において閉鎖壁８に形成され、離脱領域１６を規定する破断可能ライン１８、及び離脱領域１６において閉鎖壁８の上面に付設された引張部片２０を含んでいる。
【００１７】
閉鎖壁８の下面には、内側垂下壁１２よりも半径方向内側に位置する断面が略台形状の環状凹部２２が形成されており、環状凹部２２内には周方向に間隔をおいて複数個（図示の場合においては２０個）の係止突起２４が配設されており、係止突起２４の各々は、図１と共に図２及び図３を比較参照すれば理解されるとおり雄螺条３２に雌螺条６４を螺合する際の蓋本体４の相対的回転方向に見て前側に緩やかな前面２６を有し後側に切り立った後面２８を有しているのが重要である。本発明の複合容器蓋においては、後に詳述する装着治具の被係止突起に係止する係止突起２４が上述したように構成されているが故に蓋本体４を作成するための材料量が少なくて済み、製造コストを増大せしめることなく製作することができる。好ましくは、係止突起２４の緩やかな前面２６は後方に向かって下方に（図３においては上方に）６０度以下である傾斜角α１で傾斜し、切り立った後面２８は前方に向かって下方に（図３においては上方に）７０度以上の傾斜角α２で傾斜している。図示の実施形態における環状凹部２２は離脱領域１６よりも半径方向外側であって内側垂下壁１２の基端部の内周面近傍に位置している。また、閉鎖壁８の下面には、内側垂下壁１２と外側垂下壁１４との間に環状突部３０が設けられている。閉鎖壁８の上面から上方に延在する突出壁１０は、その上端部にラッパ状の注出口が設けられており、突出壁１０の外周面には雄螺条３２が形成されている。閉鎖壁８の下面から垂下する内側垂下壁１２の外周面は、下端部においてその外周が下方に向かって漸次減少せしめられている。閉鎖壁８の下面における内側垂下壁１２の半径方向外側から垂下する外側垂下壁１４は、周方向に間隔をおいて切欠かれており、外側垂下壁１４の内周面には環状突条３４が設けられ、外側垂下壁１４の外周面には周方向には環状段差部３６が形成されている。突出壁１０及び内側垂下壁１２よりも半径方向内側において閉鎖壁８に形成される離脱領域１６は、略矩形状の主要部３８と、主要部３８の一角から延出する付加部４０とから構成されている。離脱領域１６を規定する破断可能ライン１８は、閉鎖壁８の下面に設けられたスコアでよい。閉鎖壁８の上面に付設された引張部片２０は、離脱領域１６において閉鎖壁８の上面から実質上垂直に延びる垂直部４２と、垂直部４２から実質上水平に延びる環状リング４４とを含む。かかる引張部片２０の環状リング４４は、それが垂直部４２に付設されている側の反対側が上方に傾斜せしめられている。
【００１８】
外蓋６は天面壁４６及び天面壁４６から垂下する筒状のスカート壁４８を含んでいる。天面壁４８の下面には筒状シール壁５０が設けられている。スカート壁４８には、周方向に延びる周方向破断ライン５２が形成されており、スカート壁４８は周方向破断ライン５２よりも上方の主部５４と周方向破断ライン５２よりも下方のタンパーエビデント裾部５６とに区画されている。スカート壁４８の主部５４は、筒状上部５８、上部５８の下端から略水平方向に延在する環状肩部６０、及び肩部６０の外周縁から垂下する下部６２を含む。スカート壁４８の上部５８の内周面には雌螺条６４が形成され、上部５８の外周面には凸凹部６５が設けられている。スカート壁４８のタンパーエビデント裾部５６の内周面には半径方向内側に向かって上方に傾斜して延びる係止片６６が形成されている。かかる係止片６６は周方向に間隔をおいて切欠が複数個設けられている。
【００１９】
図１には、上述されたように構成された複合容器蓋２が適用される容器の口頸部６８も図示されている。かかる口頸部６８はポリエチレンテレフタレートの如き適宜の合成樹脂或いはガラス等から形成されており、開口部７０を備えている。かかる開口部７０の外周面には環状の係止あご部７１が設けられている。  
【００２０】
図４と共に図５及び図６には、本発明にかかる複合容器蓋における蓋本体４に外蓋６を装着する際に使用するための装着治具が図示されている。全体を番号７２で図示する装着治具は、蓋本体４の閉鎖壁８と内側垂下壁１２とによって規定される円柱状空間に組み合わされる円柱状支持台７４を有する。かかる支持台７４の先端面の周縁部には周方向に間隔をおいて、複合容器蓋２における蓋本体４の係止突起２４が係止せしめられる複数個（図示の場合は１０個）の被係止突起７６が形成されている。図示の実施形態の被係止突起７６は、周方向の断面において略台形状にせしめられている。被係止突起７６の各々は蓋本体４の雄螺条３２に外蓋６の雌螺条６４を螺合する際の蓋本体４の相対的回転方向に見て前側に切り立った前面７８を有し、後側に緩やかな後面８０を有する。好ましくは、被係止突起７６の切り立った前面７８は後方に向かって下方に７０度以上である傾斜角度β１で傾斜し、緩やかな後面８０は前方に向かって下方に６０度以下の傾斜角度β２で傾斜している。
【００２１】
上述されたように構成された複合容器蓋２の蓋本体４に外蓋６を装着する際には、蓋本体４の閉鎖壁８と内側垂下壁１２とによって規定される円柱状空間を装着治具７２の円柱状支持台７４に組み合わせる。しかる後において、蓋本体４に外蓋６を被嵌し、装着治具７２に組み合わされた蓋本体４に対して外蓋６を図７の上方からみて時計方向に回転すると、蓋本体４は外蓋６の回転に付随して時計方向に回転せしめられんとするが、蓋本体４の閉鎖壁８の下面に設けられている係止突起２４の切り立った後面２８が装着治具７２の切り立った前面７８に当接せしめられて蓋本体４は外蓋６の回転に付随して回転せしめられることが防止せしめられ、蓋本体４に形成されている雄螺条３２に外蓋６に形成されている雌螺条６４が螺合せしめられる。かくして、外蓋６は蓋本体４における閉鎖壁８の上面に形成された突出壁１０に沿って下降せしめられ、外蓋６におけるスカート壁４８のタンパーエビデント裾部５６の内周面に形成されている係止片６６が蓋本体４における外側垂下壁１４の環状段差部３６に係止せしめられ、外蓋６が蓋本体に装着される。かように、本発明の複合容器蓋の蓋本体に装着治具７２を使って外蓋を装着する際には、特に角度的位置合わせをすることなく、充分容易に装着治具７２に蓋本体４を回転不能に保持することができる。
【００２２】
外蓋６が蓋本体４に装着された複合容器蓋２で容器の口頸部６８を密封する際には、複合容器蓋２を容器の口頸部６８に被嵌し下方に強制すると、複合容器蓋２における蓋本体４の外側垂下壁の内周面に形成されている環状突条３４が口頸部６８の上端部を弾性的に乗り越えて係止あご部７１に係止せしめられ、内側垂下壁１２の外周面が容器の口頸部６８の内周面に密接せしめられ、容器の口頸部６８は複合容器蓋２によって密封される。
【００２３】
複合容器蓋２で密封された容器の口頸部６８を開封して容器の内容物を消費する際には、複合容器蓋２における外蓋６を把持して所要方向、即ち図７の上方からみて反時計方向に回転せしめて、外蓋６の雌螺条６４と蓋本体４の雄螺条３２との螺合を漸次解除する。かくすると外蓋６のスカート壁４８は上昇せんとするが、スカート壁４８のタンパーエビデント裾部５６は、その内周面に形成されている係止片６６が蓋本体４における外側垂下壁１４の環状段差部３６に係止せしめられている故に上昇が阻止され、従ってスカート壁４８に形成されている周方向破断ライン５２、更に詳しくはその橋絡部に相当な応力が生成されて橋絡部が破断される。これによってタンパーエビデント裾部５６がスカート壁４８の主部５４から完全に分離され、タンパーエビデント裾部５６は蓋本体４から離脱されることなく容器の口頸部６８に装着されている蓋本体４に残留せしめられる。一方、タンパーエビデント裾部５６を除く外蓋６は、容器の口頸部６８に装着されている蓋本体４の突出壁１０に沿って上昇せしめられ、蓋本体４から離脱せしめられる。これによって蓋本体４を装着した口頸部６８が露呈せしめられる。しかる後において蓋本体４における引張部片２０の環状リング４４に指を掛けて上方に引っ張ると、蓋本体４の閉鎖壁８に形成された破断可能ライン１８が破断され、引張部片２０及び破断可能ライン１８に規定されている離脱領域１６が蓋本体４から離脱せしめられ、蓋本体４の閉鎖壁８に排出開口が形成される。かかる排出開口を通して容器内の内容物を消費することができる。
【図面の簡単な説明】
【００２４】
【図１】本発明にかかる複合容器蓋の好適実施形態を半分を断面図、残りを側面で示す図。
【図２】図１の複合容器蓋における蓋本体の底面図。
【図３】図２の線A−Aにおける断面図。
【図４】複合容器蓋の蓋本体に外蓋を装着する際に使用される本発明にかかる装着治具の断面図。
【図５】図４の装着治具の上面図。
【図６】図５の線B−Bにおける断面図。
【図７】図１の複合容器蓋の蓋本体を回転不能に図４の装着治具に保持して、蓋本体に外蓋を装着しようとする状態を示す断面図。
【符号の説明】
【００２５】
２：複合容器蓋
４：蓋本体
６：外蓋
８：閉鎖壁
１０：突出壁
１２：内側垂下壁
１４：外側垂下壁
１６：離脱領域
１８：破断可能ライン
２０：引張部片
２２：環状凹部
２４：係止突起
２６：緩やかな前面
２８：切り立った後面
３２：雄螺条
６４：雌螺条
７２：装着治具
７４：支持台
７６：被係止突起
７８：切り立った前面
８０：緩やかな後面
【図１】
0004652678.tif 000002
【図２】
0004652678.tif 000003
【図３】
0004652678.tif 000004
【図４】
0004652678.tif 000005
【図５】
0004652678.tif 000006
【図６】
0004652678.tif 000007
【図７】
0004652678.tif 000008